(57)【特許請求の範囲】
【請求項１】
手摺棒に連結されて該手摺棒を手摺取付面に取り付けるブラケットに５ルクス以上の光を照射する光源を設けると共に、この光源から照射される光を入光して所定方向に散乱光を射出する光射出部を前記手摺棒の所定範囲に形成した発光機能付き手摺装置であって、前記ブラケットは合成樹脂製の部材を一体成形して構成したものであり、前記手摺棒に連結する連結部を一端部若しくは両端部に有する前記ブラケットに該ブラケットの周面に開口する空洞部を設け、この空洞部に該空洞部の開口部から抜き差し嵌合によって着脱自在に配設する合成樹脂製の配設部材に複数の発光ダイオードを設けて前記光源を構成し、前記ブラケットに前記空洞部の開口部を閉塞する蓋部材を着脱自在に設け、この蓋部材で前記空洞部の開口部を閉塞した際、前記ブラケットの表面と面一状態となるように前記蓋部材を構成し、前記手摺棒の長さ方向に、前記光源から照射される光を入光して所定方向に散乱光を射出する光射出長尺体を配設して前記光射出部は構成されており、この光射出長尺体の端面を前記光源から照射される光を入光する入光面とすると共に、光射出長尺体の長尺周面を光射出長尺体内を通過した光を散乱射出する光射出面とし、この光射出長尺体の入光面及び光射出面はウエットブラスト処理が施されて光を散乱する光散乱処理面に形成され、前記光源に接続される電源装置には通常電源の遮断時に電気を供給する非常電源機能が具備せしめられるとともに、前記電源装置には光センサー部にて明るさを感知して点灯・消灯を制御する自動制御機能が具備せしめられていることを特徴とする発光機能付き手摺装置。
【請求項２】
前記光射出長尺体はアクリル樹脂製であることを特徴とする請求項１記載の発光機能付き手摺装置。
【発明の詳細な説明】
【技術分野】
【０００１】
本発明は、発光機能付き手摺装置に関するものである。
【背景技術】
【０００２】
従来から、例えば建物の廊下や階段の壁面に設置される手摺装置として、手摺棒が発光するタイプの発光機能付き手摺装置が種々提案されている。
【発明の開示】
【発明が解決しようとする課題】
【０００３】
本出願人は、この発光機能を具備した手摺装置について更なる研究開発を進め、極めて商品価値の高い画期的な発光機能付き手摺装置を開発した。
【課題を解決するための手段】
【０００４】
添付図面を参照して本発明の要旨を説明する。
【０００５】
手摺棒１に連結されて該手摺棒１を手摺取付面Ｗに取り付けるブラケット２に５ルクス以上の光を照射する光源３を設けると共に、この光源３から照射される光を入光して所定方向に散乱光を射出する光射出部４を前記手摺棒１の所定範囲に形成した発光機能付き手摺装置であって、前記ブラケット２は合成樹脂製の部材を一体成形して構成したものであり、前記手摺棒１に連結する連結部14ａを一端部若しくは両端部に有する前記ブラケット２に該ブラケット２の周面に開口する空洞部２ａを設け、この空洞部２ａに該空洞部２ａの開口部から抜き差し嵌合によって着脱自在に配設する合成樹脂製の配設部材５に複数の発光ダイオード６を設けて前記光源３を構成し、前記ブラケット２に前記空洞部２ａの開口部を閉塞する蓋部材17を着脱自在に設け、この蓋部材17で前記空洞部２ａの開口部を閉塞した際、前記ブラケット２の表面と面一状態となるように前記蓋部材17を構成し、前記手摺棒１の長さ方向に、前記光源３から照射される光を入光して所定方向に散乱光を射出する光射出長尺体７を配設して前記光射出部４は構成されており、この光射出長尺体７の端面を前記光源３から照射される光を入光する入光面７ａとすると共に、光射出長尺体７の長尺周面を光射出長尺体７内を通過した光を散乱射出する光射出面７ｂとし、この光射出長尺体７の入光面７ａ及び光射出面７ｂはウエットブラスト処理が施されて光を散乱する光散乱処理面に形成され、前記光源３に接続される電源装置18には通常電源の遮断時に電気を供給する非常電源機能が具備せしめられるとともに、前記電源装置18には光センサー部にて明るさを感知して点灯・消灯を制御する自動制御機能が具備せしめられていることを特徴とする発光機能付き手摺装置に係るものである。
【０００６】
また、前記光射出長尺体７はアクリル樹脂製であることを特徴とする請求項１記載の発光機能付き手摺装置に係るものである。
【発明の効果】
【０００７】
本発明は上述のように構成したから、例えば夜間において手摺の位置が確認し易く非常に便利であり、しかも、光源は５ルクス以上の光を照射するから、例えば足元を照らす照明としての機能も発揮するなど極めて商品価値の高い画期的な発光機能付き手摺装置となる。
【発明を実施するための最良の形態】
【０００８】
好適と考える本発明の実施形態（発明をどのように実施するか）を、図面に基づいて本発明の作用を示して簡単に説明する。
【０００９】
本発明は、手摺棒１の所定範囲に形成された光射出部４へ光源３から光が照射されることで光射出部４は散乱光を射出し、この手摺付近は照らされることになる。
【００１０】
従って、手摺から射出される散乱光により手摺位置の確認が簡易に行なえることになり、しかも、夜間でも手元や足元が照らされることで安心して廊下や階段などを歩行することができ、具体的には、光源３は５ルクス以上の光を照射するから、例えば足元を照らす良好な照明効果が得られることになる。本発明者は、この５ルクス以上の光は手摺装置に具備せしめた際に照明としての機能を発揮する必要最低限の照度であることを確認している。
【００１１】
また、本発明は、光源３をブラケット２に着脱自在に設けたから、例えば光源３の消耗による交換が可能になるのは勿論、適宜光源を交換して光源の種類、例えば色を変えたりすることで、照明としてのデザイン性を高めたり、機能性を高めたりすることができる。
【００１２】
また、ブラケット２の周面に開口する空洞部２ａを前記ブラケット２に設け、この空洞部２ａに抜き差し嵌合によって着脱自在に配設する配設部材５に発光ダイオード６を設けて前記光源３を構成したから、単にブラケット２に設けた空洞部２ａに対する配設部材５の着脱操作により光源３の配設が簡易且つ確実に行なわれることになる。
【００１３】
また、手摺棒１の長さ方向に、光源３から照射される光を入光して所定方向に散乱光を射出する光射出長尺体７を配設して前記光射出部４は構成されており、この光射出長尺体７の端面を光源３から照射される光を入光する入光面７ａとすると共に、光射出長尺体７の長尺周面を光射出長尺体７内を通過した光を散乱射出する光射出面７ｂとし、手摺棒に光源から照射される光を入光して所定方向に散乱光を射出する光射出部を簡易且つ確実に形成することができ、手摺棒の長さ方向に広い範囲で良好な照明効果が確実に得られることになり、しかも、この光射出長尺体７の入光面７ａ及び光射出面７ｂはウエットブラスト処理が施されて光を散乱する光散乱処理面に形成されているから、ウエットブラスト処理による光拡散処理面の設定により光源の輝度の低減を可及的に抑制しつつ光を良好に散乱させることができる。この点は本出願人が行なった実験により確認している。
【００１４】
従って、より一層小さい光源３（輝度の低い光源）であっても効率良く光射出部４を発光させて良好な照明効果が得られ、ひいては低消費電力で良いからコスト面に秀れ且つ発熱性も少ないから安全面に秀れることになり、しかも、ウエットブラスト処理の砥粒の選択により光散乱処理面の光散乱度合いを良好に調整することができ、明るさを強くしたり弱く（淡く）したりするなどの輝度の調整も良好に行なえることになる。
【００１５】
また、空洞部２ａの開口部を蓋部材17で閉塞した際、手摺取付面Ｗに取り付けるブラケット２の表面と面一状態となるように蓋部材17を構成した場合には、ブラケット２の周面に余計な凹凸を形成してしまうことが無く、ブラケットの美感を損なわず良好な機能が得られることになる。
【００１６】
また、光源３に接続される電源装置18に停電等の通常電源の遮断時に電気を供給する非常電源機能が具備せしめられている場合には、万一の緊急時において、通常電源による照明が機能しない際、確実に手摺の位置を確認でき、且つ、足元の照明を確保することができることになるなど避難等の際に非常に有用となる。
【００１７】
また、電源装置18に光センサー部にて明るさを感知して点灯・消灯を制御する自動制御機能が具備せしめられている場合には、照明が必要とされるときのみ良好な照明効果が得られることになるなど電気の無駄を防止して電気代を抑えることができる。
【００１８】
また、ブラケット２は合成樹脂製の部材を一体成形して構成されている場合には、種々の形状のブラケット２が簡易且つ確実に得られることになり、コスト安にして量産性にも秀れることになる。
【実施例】
【００１９】
本発明の具体的な実施例について図面に基づいて説明する。
【００２０】
本実施例は、手摺棒１に連結されて手摺棒１を手摺取付面Ｗに取り付けるブラケット２に光を照射する光源３を設けると共に、この光源３から照射される光を入光して所定方向に散乱光を射出する光射出部４を手摺棒１の所定範囲に形成したものである。
【００２１】
以下、本実施例に係る構成各部について詳細な説明をする。
【００２２】
手摺棒１は、図１，２に図示したように木製の部材を丸棒状に形成したものであり、後述するブラケット２を介して壁面に所定間隔をおいて設置される。
【００２３】
尚、手摺棒１は、本実施例のように丸棒状に限らず、平板状でも良いなど手摺として機能する長尺の物を広く含む意味である。また、手摺棒１は、木製に限らず樹脂製や金属製でも良く、その径寸法も適宜変更し得るなど本実施例の特性を発揮するものであれば適宜採用し得るものである。後述する光射出部４が発熱する点を考慮すると熱伝導性の低い素材のものが望ましい。
【００２４】
また、手摺棒１は、その長さ方向にして軸芯部に空洞部８が形成されている。
【００２５】
この空洞部８は、後述する光源３が接続される電線９を配設する電線誘導通孔部８として機能し、この電線誘導通孔部８における手摺棒１の端面に開口する部位は、後述するブラケット２の電線通過部10と連通するように構成されている。
【００２６】
また、手摺棒１は、その下面部（下方周面部）の長さ方向に電線誘導通孔部８に連設状態で開口する開口部１ａが設けられており、この開口部１ａは、後述する光射出部４（光射出長尺体７）を配設する部位として機能し、この開口部１ａに光射出長尺体７を配設することで電線誘導通孔部８は閉塞されて光射出長尺体７の周面にして下面は手摺棒１の周面部に露出状態となる。
【００２７】
ブラケット２は、図２に図示したように適宜な合成樹脂製の部材（ＰＦ１６：ビニールとガラス繊維から成る構成材）を一体成形したものであり、止着部材11（ネジ部材）を介して壁面に止着される円盤状の止着部12と、この止着部12から突設される突設部13の先端部に設けられ、手摺棒１に連結する手摺棒連結部14とで構成されている。
【００２８】
また、ブラケット２は、内部が中空状に成形されており、後述する電源15の電線９を挿通し得る電線通過部10として構成されている。
【００２９】
この電線通過部10は、前述した手摺棒１に設けた電線誘導通孔部８に連通するように構成されており、よって、例えば手摺取付面Ｗから突出する電線９を通過せしめて手摺棒１の長さ方向に設けた電線誘導通孔部８に電線９を配設することができる。
【００３０】
また、ブラケット２は、その周面に開口する空洞部２ａ（光源配設部）が設けられており、この光源配設部２ａに着脱自在に配設される配設部材５に発光体６を設けて光源３が構成されている。
【００３１】
また、ブラケット２は、その光源配設部２ａの開口部に該開口部を閉塞する合成樹脂製の蓋部材17が着脱自在に設けられており、この蓋部材17で閉塞した際、手摺取付面Ｗに取り付けるブラケット２（手摺棒連結部14）の表面と面一状態となるように構成されている。
【００３２】
本実施例では、３タイプの手摺棒連結部14を具備したブラケット２を設けている。
【００３３】
具体的には、手摺棒１に被嵌連結する被嵌連結部14ａを一箇所有し且つ光源３を配設する光源配設部２ａを一箇所有するタイプの手摺棒連結部14を具備した第一ブラケット２Ａ（図６中の左側のブラケット２）と、手摺棒１に被嵌連結する被嵌連結部14ａを左右二箇所有し且つ光源３を配設する光源配設部２ａを二箇所有するタイプの手摺棒連結部14を具備した第二ブラケット２Ｂ（図６中の中央のブラケット２）と、手摺棒１に被嵌連結する被嵌連結部14ａを一箇所有し光源配設部２ａを一箇所有するタイプの手摺棒連結部14を具備した第三ブラケット２Ｃ（図６中の右側のブラケット２）である。
【００３４】
尚、各ブラケット２の手摺棒連結部14は勿論、この手摺棒連結部14に係る被嵌連結部14ａと光源配設部２ａ夫々の形状や数や配置等は適宜設計変更し得るものであり、合成樹脂製に限らず金属製（例えばアルミニウム）や木製でも良いなど本実施例の特性を発揮するものであれば適宜採用し得るものである。後述する光射出部４が発熱する点を考慮すると熱伝導性の低い素材のものが望ましい。また、手摺棒連結部14の別例として、手摺棒連結部14に係る被嵌連結部14ａを手摺棒１に被嵌するだけで、手摺棒１の電線誘導通孔部８に配設された後述する電線９と光源３とが電気的に接続するよう光源３の端子を該被嵌連結部14ａに設けた構成としても良い。
【００３５】
光源３は、図２に図示したように複数の発光体６（発光ダイオード）を並設した合成樹脂製の配設部材５をブラケット２に設けた光源配設部２ａに着脱自在（抜き差し自在）に嵌合配設し得るように構成されており、後述する電源15から延設される電線９に接続されている。具体的には、各発光体６に接続され配設部材５の端部から延設される電線16に、電線９の端部に設けられる接続部９ａに接続する接続部16ａが設けられている。
【００３６】
本実施例では、光源３として５ルクスの光を照射する光源３を採用している。５ルクス以上の光は廊下や階段に設ける夜間照明として機能する最小限の明るさ（照度）とされる。
【００３７】
本実施例では、図６中の左側の第一ブラケット２Ａ，中央の第二ブラケット２Ｂ及び右側の第三ブラケット２Ｃ夫々の光源配設部２ａに光源３を配設しており、各光源３は、一の手摺棒１及び他の手摺棒１夫々に設けられる光射出部４の端部側から光射出部４の長さ方向に光を照射するように照射方向が設定されている。
【００３８】
光射出部４は、光源３から照射される光を入光して所定方向に散乱光を射出するものであり、手摺棒１の所定範囲に形成されている。
【００３９】
具体的には、図２に図示したように適宜な樹脂製の部材（アクリル材）により断面正方形状の光射出長尺体７を設け、この光射出長尺体７を前述した手摺棒１の下面部の長さ方向に設けた開口部１ａに配設して構成されている。尚、光射出長尺体７の形状は本実施例に限らず、例えば断面扇形状など本実施例の特性を発揮する構成であれば適宜採用し得るものである。
【００４０】
また、光射出部４は、手摺棒１の長さ方向に設けられた際、手摺棒１の端部に配される光射出長尺体７の端面を入光面７ａとすると共に、手摺棒１の周面部に露出状態で配される光射出長尺体７の長尺周面を光射出面７ｂとしている。
【００４１】
この光射出部４の入光面７ａ及び光射出面７ｂは、液体（水）と砥粒（固体粒子）とからなるブラスト液（スラリ）を圧搾空気と共に高圧噴射するウエットブラスト処理が施されることでその表面が粗面化（表面に微細な凹凸が形成された状態）されて光を散乱する光散乱処理面に形成されている。
【００４２】
本出願人は、このウエットブラスト処理を行なう際のスラリに係る砥粒の大きさの選択、噴射速度等の調整して光射出部４の入光面７ａ及び光射出面７ｂの粗度を適宜調整することで、発光体６としての発光ダイオードの指向性（直進性）の強い光を、輝度を低減させず良好に拡散させることができることを確認している（本実施例では、発光ダイオードからの輝度を約４パーセント程度低減しないブラスト処理を施している。）。
【００４３】
尚、光射出長尺体７の長尺周面にして上面に反射材を設けたり、ブラスト処理による反射部を形成して光射出長尺体７の下面である光射出面７ｂに光を集めるように構成しても良い。
【００４４】
電源15は、図１に図示したように電源装置18と、この電源装置18に延設される電線９とで構成されている。
【００４５】
この電源装置18は、スイッチング回路、ブリッジダイオード、ＣＲＤ（電流制限抵抗）を具備した構造（通常電源装置）であり、電圧を下げるためにトランスや抵抗を設ける直流電源装置として構成されている。尚、電源装置18は、発光ダイオード６の規格に合わせて電圧、電圧値を決定させる。また、電源装置18は、ＣＤＳ（発光セル：センサー）を具備しており、このＣＤＳにより自動で電気の供給及び供給停止が行われ、夜間（周囲が暗い状態）では点灯し、昼間（周囲が明るい状態）では消灯するように構成されている。尚、手動で電気の供給及び供給停止を行うＯＮ・ＯＦＦスイッチも具備している。
【００４６】
また、本実施例では、前述した電源装置18の他、通常電源の遮断時（停電時）に電気を供給する非常電源装置が設けられている。
【００４７】
電線９は、図１に図示したように往路線と復路線とを具備した平行コードであり、発光機能付き手摺装置Ｔとして組み込まれる際には、ブラケット２の電線通過部10に挿通され、この電線通過部10に連通する手摺棒１に設けた電線誘導通孔部８に配設されるように構成されており、光源配設部２ａに配設される光源３（発光体６から延設される電線16）に接続することになる。
【００４８】
以上の構成からなる発光機能付き手摺装置Ｔを設置する場合、例えば図６に図示したように建築物の壁（階段脇の壁）である手摺取付面Ｗにブラケット２を設置するとともに、この各ブラケット２の手摺棒連結部14（被嵌連結部14ａ）に手摺棒１の端部を嵌挿させてブラケット２間に手摺棒１を架設する。
【００４９】
図６中の左側の第一ブラケット２Ａ，中央の第二ブラケット２Ｂ及び右側の第三ブラケット２Ｃ夫々の光源配設部２ａに光源３を配設しており、各光源３は、光射出部４の端部側から光射出部４の長さ方向に光を照射するように照射方向が設定されている。
【００５０】
この各光源３は、第一ブラケット２Ａ付近の壁内に配設された電源15のＣＤＳ（発光セル）の制御により当該電源15から電気が供給されることで点灯（及び電気の供給停止により消灯）するように構成されており、具体的には、第一ブラケット２Ａの光源配設部２ａに配設される光源３は、手摺取付面Ｗから突出して電線通過部10を通過した電線９が接続され、一方、第二ブラケット２Ｂ及び第三ブラケット２Ｃの光源配設部２ａに配設される光源３は、第一ブラケット２Ａに設けた光源３に電気を供給する電線９と異なり、第一ブラケット２Ａの電線通過部10を通過し、第一ブラケット２Ａと第二ブラケット２Ｂ並びに第二ブラケット２Ｂと第三ブラケット２Ｃとの間に夫々架設される手摺棒１の電線誘導通孔部８に配設された電線９に接続されており、この第一ブラケット２Ａ，第二ブラケット２Ｂ及び第三ブラケット２Ｃに配設される光源３は電源15を共有し得るように構成されている。
【００５１】
この各光源３から照射される光を受けて一の手摺棒１及び他の手摺棒１の長さ方向に設けた光射出部４は散乱光を射出し、この手摺付近が照らされることになる。
【００５２】
尚、本実施例は、２本の手摺棒１と３個のブラケット２とからなる発光機能付き手摺装置Ｔを設置した場合について説明したが、手摺棒１とブラケット２の数や形状を適宜変更して設置する場所に合わせた状態となるように適宜設計変更し得るものである。
【００５３】
本実施例は上述のように構成したから、手摺から射出される散乱光により手摺位置の確認が簡易に行なえることになり、しかも、夜間でも手元や足元が照らされることで安心して廊下や階段などを歩行することができ、具体的には、光源は５ルクス以上の光を照射するから、例えば足元を照らす良好な照明効果が得られることになる。
【００５４】
また、本実施例は、光源３には停電等の通常電源の遮断時に電気を供給する非常電源装置が接続されているから、万一の緊急時において、通常電源による照明が機能しない際、確実に手摺の位置を確認でき、且つ、足元の照明を確保することができることになるなど避難等の際に非常に有用となる。
【００５５】
また、本実施例は、光源３をブラケット２に着脱自在に設けたから、例えば光源３の消耗による交換が可能になるのは勿論、適宜光源を交換して光源の種類、例えば色を変えたりすることで、照明としてのデザイン性を高めたり、機能性を高めたりすることができる。
【００５６】
また、本実施例は、ブラケット２の周面に開口する空洞部２ａを前記ブラケット２に設け、この空洞部２ａに着脱自在に配設される配設部材５に発光体６を設けて前記光源３を構成したから、単にブラケット２に設けた空洞部２ａに対する配設部材５の着脱操作により光源３を配設が簡易且つ確実に行なわれることになる。
【００５７】
また、本実施例は、空洞部２ａの開口部を蓋部材17で閉塞した際、手摺取付面Ｗに取り付けるブラケット２の表面と面一状態となるように蓋部材17を構成したから、ブラケット２の周面に余計な凹凸を形成してしまうことが無く、ブラケットの美感を損なわず良好な機能が得られることになる。
【００５８】
また、本実施例は、前記手摺棒１の長さ方向に、光源３から照射される光を入光して所定方向に散乱光を射出する光射出長尺体７を配設して前記光射出部４は構成されており、この光射出長尺体７の端面を光源３から照射される光を入光する入光面７ａとすると共に、光射出長尺体７の長尺周面を光射出長尺体７内を通過した光を散乱射出する光射出面７ｂとしたから、手摺棒に光源から照射される光を入光して所定方向に散乱光を射出する光射出部を簡易且つ確実に形成することができ、手摺棒の長さ方向に広い範囲で良好な照明効果が確実に得られることになり、しかも、この光射出長尺体７の入光面７ａ，光射出面７ｂの少なくとも一方はウエットブラスト処理が施されて光を散乱する光散乱処理面に形成されている場合には、ウエットブラスト処理による光拡散処理面の設定により光源の輝度の低減を可及的に抑制しつつ光を良好に散乱させることができる。よって、より一層小さい光源３（輝度の低い光源）であっても効率良く光射出部４を発光させて良好な照明効果が得られ、ひいては低消費電力で良いからコスト面に秀れ且つ発熱性も少ないから安全面に秀れることになり、しかも、ウエットブラスト処理の砥粒の選択により光散乱処理面の光散乱度合いを良好に調整することができ、明るさを強くしたり弱く（淡く）したりするなどの輝度の調整も良好に行なえることになる。
【００５９】
また、本実施例は、光源３に電気を供給する電線９を通過せしめる一のブラケット２に設けた電線通過部10に連通する電線誘導通孔部８を前記手摺棒１の長さ方向に設け、この一のブラケット２に設けた電線通過部10を通過して前記手摺棒１の電線誘導通孔部８に配設された前記電線９を他のブラケット２に設けられる光源３に接続するように構成したから、手摺棒１に連結される複数のブラケット２に設けられる光源３の電源を共有することができることになり、光源３一つ一つに電源を具備せしめた場合に比し、取り付けが良好に行なえることになり、極めて効率の良い構造であるからコスト安にして量産性に秀れることになり、しかも、電線３を配設する部位として手摺棒１を利用することで無駄のない構造となり体裁良くコンパクトにすることができることになる。
【００６０】
また、本実施例は、手摺棒１の長さ方向に、光源３から照射される光を入光して所定方向に散乱光を射出する光射出長尺体７を配設して前記光射出部４は構成されており、この光射出長尺体７の端面を光源３から照射される光を入光する入光面７ａとすると共に、光射出長尺体７の長尺周面を光射出長尺体７内を通過した光を散乱射出する光射出面７ｂとしたから、手摺棒１に光源３から照射される光を入光して所定方向に散乱光を射出する光射出部４を簡易且つ確実に形成することができ、手摺棒１の長さ方向に広い範囲で良好な照明効果が確実に得られることになる。
【００６１】
また、本実施例は、光射出長尺体７の入光面７ａ及び光射出面７ｂはブラスト処理が施されて光を散乱する光散乱処理面に形成されているから、ブラスト処理による光拡散処理面の設定により光源３の輝度の低減を可及的に抑制しつつ光を良好に散乱させることができ、よって、より一層小さい光源３（輝度の低い光源３）であっても効率良く光射出部４を発光させて良好な照明効果が得られ、ひいては低消費電力で良いからコスト面に秀れ且つ発熱性も少ないから安全面に秀れることになり、しかも、ブラスト処理の砥粒の選択により光散乱処理面の光散乱度合いを良好に調整することができ、明るさを強くしたり淡くしたりするなどの輝度の調整も良好に行なえることになる。
【００６２】
また、本実施例は、手摺棒１の端部に被嵌する手摺棒連結部14を前記ブラケット２に設け、この手摺棒連結部14に前記光源３を設け、前記光射出部４の端部側から光射出部４の長さ方向に光を照射するように前記光源３の光照射方向を設定したから、光源３から照射される光の方向を積極的に光射出部４の長さ方向に向けることで確実に無駄なく光射出部４へ光を送ることができ、より一層良好な照明効果が得られることになる。
【００６３】
また、本実施例は、光源３として発光ダイオードを採用したから、低消費電力で発熱性も少なく、指向性の強い発光ダイオードであるから光源３として極めて有効である。
【００６４】
また、本実施例は、手摺棒１の長さ方向に前記電線９を配設し得る空洞部８を設けて電線誘導通孔部８を構成したから、より一層効率の良い構造にして簡易構造故にコスト安にして量産性に秀れることになり、しかも、電線９が見えない状態となり非常に体裁が良くコンパクトにすることができる。
【００６５】
尚、本発明は、本実施例に限られるものではなく、各構成要件の具体的構成は適宜設計し得るものである。
【図面の簡単な説明】
【００６６】
【図１】本実施例を示す斜視図である。
【図２】本実施例に係る要部の分解斜視図である。
【図３】本実施例に係る要部の説明端面図である。
【図４】本実施例に係る要部の説明断面図である。
【図５】本実施例に係る要部の平断面図である。
【図６】本実施例の使用状態説明図である。
【符号の説明】
【００６７】
Ｗ  手摺取付面
１  手摺棒
２  ブラケット
２ａ  空洞部
３  光源
４  光射出部
５  配設部材
６  発光ダイオード
７  光射出長尺体
７ａ  入光面
７ｂ  光射出面
14ａ  連結部
17  蓋部材
18  電源装置
【図１】
0005399606.tif 000002
【図２】
0005399606.tif 000003
【図３】
0005399606.tif 000004
【図４】
0005399606.tif 000005
【図５】
0005399606.tif 000006
【図６】
0005399606.tif 000007